(57)【要約】【課題】同時にディスプレイ上に表示される病室の数をできるだけ多くしつつ、ベッド配置や患者情報を適切に表示できるようにする。【解決手段】レイアウト画像には病室の配置のみを表示しておき、呼び出しが行われた場合に、呼び出しを行った患者を特定するための患者情報とともに呼び出しを行った患者が居る病室内のベッド配置およびその患者のベッド位置を示す病室情報をポップアップ画像として表示するようにしている。これにより、レイアウト画像に病室の配置のみが表示されるので、同時に表示される病室の数をできるだけ多くすることができる。また、呼び出しが行われた場合に、呼び出しを行った患者を特定するための患者情報とともに、呼び出しを行った患者が居る病室内のベッド配置およびその患者のベッド位置を示す病室情報がポップアップ画像として表示されるので、患者情報や患者のベッド位置を必要なときに適切に表示することができる。【選択図】図２
2014180392.tif 000002
【特許請求の範囲】
【請求項１】
患者が医療従事者を呼び出すために操作する呼出操作部と、前記呼出操作部が操作された場合に自装置を他の装置と識別するための子機識別情報を含む呼出信号を生成する子機制御部と、子機制御部にて生成された呼出信号を出力する子機インターフェースとを備えたナースコール子機と、
前記ナースコール子機から前記呼出信号を入力するインターフェースと、呼び出しを行っている患者を少なくとも特定するための患者情報とその患者が使用しているナースコール子機の子機識別情報とその患者が居る病室内のベッド配置およびその患者のベッド位置をイメージとして示す病室情報とを関連付けて記憶する記憶部と、施設内の病室の実際の配置のみをイメージとして示すレイアウト画像、および、前記患者情報と前記病室情報とを含むポップアップ画像を表示するディスプレイと、前記レイアウト画像を前記ディスプレイに表示させるとともに、前記インターフェースが前記呼出信号を入力した場合に、前記記憶部を参照し、前記呼出信号に含まれる子機識別情報に関連付けて記憶されている患者情報および病室情報を抽出し、前記ディスプレイにポップアップ画像として表示させる制御部とを備えたナースコール親機と、
を有するナースコールシステム。
【請求項２】
前記制御部が、前記ディスプレイに前記レイアウト画像が表示されている状態で、前記レイアウト画像中の複数の病室の中から所望の病室が選択された場合に、前記記憶部を参照し、選択された病室の病室情報およびこの病室情報に関連付けて記憶されている患者情報を抽出し、前記ディスプレイにポップアップ画像として表示させることを特徴とする請求項１に記載のナースコールシステム。
【発明の詳細な説明】
【技術分野】
【０００１】
本発明は、患者や被介護者が看護師や介護師を呼び出すためのナースコールシステムに関し、特に、患者や被介護者が呼び出しを行ったことを報知するためにナースコール親機のディスプレイ上にレイアウト画像やポップアップ画像を表示するナースコールシステムに関する。
【背景技術】
【０００２】
一般に、病院や介護施設などでは、ナースコールシステムが用いられている。ナースコールシステムは、病院の患者が看護師のサポートを必要とする際、または介護施設の被介護者が介護師のサポートを必要とする際に、患者や被介護者（以下、これらをまとめて患者と記載する）が呼出操作部を操作することによって看護師や介護師（以下、これらをまとめて医療従事者と記載する）を呼び出すことができるように成されたシステムである。
【０００３】
多くのナースコールシステムは、病室のベッド近傍やトイレ、浴室などに設置されるナースコール子機と、医療従事者が常駐するナースステーションに設置されるナースコール親機と、病室などの各部屋の入口付近の廊下側に設置される廊下灯と、通話やデータの送受信に関する制御を行う制御機とを備えて構成されている。また、上述した構成に加えて、医療従事者が携帯する携帯端末（例えば、ＰＨＳ（Personal Handy phone System）端末など）とＰＢＸ（Private
Branch Exchange：電話交換機）とを備えたナースコールシステムも提供されている。ここで、ナースコール子機は呼出操作部を備えている。
【０００４】
そして、このようなナースコールシステムは、患者がナースコール子機の呼出操作部を操作した場合に、ナースコール子機からナースコール親機へ呼出信号を出力し、呼出信号を入力したナースコール親機にて呼び出しを報知するように構成されている。また、携帯端末およびＰＢＸを備えたナースコールシステムでは、携帯端末でも呼び出しを報知する。
【０００５】
ナースコール親機としては、ＬＥＤ（light-emitting  diode）などのランプと患者の名前などを表示する表示欄とを備えた選局部を患者の数に応じて組み合わせたボード形のものが知られている。このボード形のナースコール親機は、ナースステーションの壁面などに取り付けられ、ナースステーション内の医療従事者がボード形のナースコール親機に表示された情報を閲覧することが可能である。
【０００６】
ナースコール子機の呼出操作部が操作され、ナースコール子機から呼出信号が出力されると、その呼出信号を入力したナースコール親機は、呼出信号に含まれ、ナースコール子機を識別するための子機識別情報によって呼び出しを行った患者（実際にはナースコール子機）を特定する。そして、特定されたナースコール子機を使用している患者の表示欄に対応する選局部のランプを点灯または点滅させることで呼び出しの報知を行っている。また、呼び出しの報知は、選局部のランプの点灯や点滅だけではなく、スピーカーから出力される音声によっても行われる。
【０００７】
ところで、ナースコール親機としては、上述したボード形のものだけではなく、卓上に設置される卓上形のものも知られている。また、病室およびベッドの配置を示すレイアウト画像をディスプレイ上に表示するＰＣ（personal  computer）形のナースコール親機を備えたナースコールシステムが知られている（例えば、特許文献１を参照）。上述したレイアウト画像のベッドに該当する位置には、患者の氏名や年齢、性別などの患者情報、診療科、その患者を担当する医療従事者の氏名などの患者情報が表示されている。
【０００８】
また、ナースコール子機により呼び出しが行われた場合に、呼び出しを行った患者の患者情報を示すポップアップ画像をディスプレイ上に表示するＰＣ形のナースコール親機を備えたナースコールシステムも知られている（例えば、特許文献２を参照）。上述したポップアップ画像には、患者の居る病室（ベッド番号を含む）や患者の氏名などの呼び出しを行った患者を特定するための患者情報、患者の年齢や性別などの患者情報、その患者を担当する医療従事者の氏名などの患者情報が表示されている。
【０００９】
また、特許文献２に記載の技術によれば、ポップアップ画像をディスプレイ上に表示する際に、同時に表示しているレイアウト画像と異なる領域に表示させている。また、特許文献２に記載の技術によれば、ポップアップ画像の数が増えた場合に、同時に表示しているレイアウト画像を縮小させている。
【先行技術文献】
【特許文献】
【００１０】
【特許文献１】特開２００６−１３００８３号公報
【特許文献２】特開２０１０−５１５４５号公報
【発明の概要】
【発明が解決しようとする課題】
【００１１】
しかしながら、特許文献１に記載の技術によれば、ベッドの数が増えたり、病室の数が増えたり、病室のレイアウトが複雑になったりすると、レイアウト画像がディスプレイ上に収まらなくなってしまうという問題があった。この問題を解決するために、レイアウト画像の一部をディスプレイ上に表示させ、レイアウト画像をスクロールさせることで全てのレイアウト画像を表示させることが考えられる。また、特許文献２に記載されている技術のように、レイアウト画像を縮小して、レイアウト画像をディスプレイ上に表示することも考えられる。
【００１２】
しかしながら、レイアウト画像をスクロールさせるケースでは、ベッドの位置に表示される患者情報を見易くする必要があるため、同時にディスプレイ上に表示される病室の数が少なくなってしまうという問題があった。また、レイアウト画像を縮小するケースでは、ベッドの位置に表示される患者情報が見難くなってしまうという問題があった。
【００１３】
本発明は、このような問題を解決するために成されたものであり、病室のレイアウト画像をナースコール親機のディスプレイ上に表示される場合に、同時にディスプレイ上に表示される病室の数をできるだけ多くしつつ、ベッド位置や患者情報を適切に表示することができるようにすることを目的とする。
【課題を解決するための手段】
【００１４】
上述した課題を解決するために、本発明では、ナースコール親機のディスプレイ上に表示されるレイアウト画像には病室の配置のみを表示しておき、ナースコール子機による呼び出しが発生した場合に、呼び出しを行った患者を特定するための患者情報とともに、呼び出しを行った患者が居る病室内のベッド配置およびその患者のベッド位置を示す病室情報をポップアップ画像としてディスプレイ上に表示するようにしている。
【発明の効果】
【００１５】
上記のように構成した本発明によれば、ナースコール親機のディスプレイ上のレイアウト画像に病室の配置のみが表示されるので、同時に表示される病室の数をできるだけ多くすることができる。また、ナースコール子機により呼び出しが行われた場合には、呼び出しを行った患者を特定するための患者情報とともに、呼び出しを行った患者が居る病室内のベッド配置およびその患者のベッド位置を示す病室情報がポップアップ画像として表示されるので、患者情報や患者のベッド位置を必要なときに適切に表示することができる。
【図面の簡単な説明】
【００１６】
【図１】本実施形態によるナースコールシステムの構成例を示すブロック図である。
【図２】本実施形態のナースコール親機のディスプレイの表示例を示す図である。
【図３】本実施形態によるナースコールシステムの変形例を示すブロック図である。
【図４】変形例のナースコール親機のディスプレイの表示例を示す図である。
【発明を実施するための形態】
【００１７】
以下、本発明の一実施形態を図面に基づいて説明する。なお、ここでは病院に設置される看護支援用のナースコールシステムを例にとって説明するが、本実施形態のナースコールシステムは、病院に設置されるものに限定されない。例えば、介護施設等に設置される場合にも適用可能である。図１は、本実施形態によるナースコールシステムの構成例を示すブロック図である。図１において、１はナースコール子機であり、患者のベッドの近傍に設置され、患者などが医療従事者を呼び出す際に使用される。ここで、ナースコール子機１は、各患者に対して設置されている。また、ナースコール子機１は、子機制御部２、呼出操作部３、子機インターフェース４を備えて構成されている。
【００１８】
１０はナースコール親機であり、医療従事者が常駐するナースステーションなどに設置され、医療従事者によって患者からの呼び出しに応答する際に使用される。ここで、ナースコール親機１０は、制御部１１、インターフェース１２、記憶部１３、ディスプレイ１４、スピーカー１５、応答操作部１６を備えて構成されている。そして、ナースコール子機１とナースコール親機１０との間には、廊下灯や制御機（ともに図示せず）が接続されている。廊下灯は、病室内の患者の氏名を表示するとともに、病室内の患者が呼び出しを行った場合に呼び出しが行われたことを表示する。また、制御機は、ナースコール子機１とナースコール親機１０との通信の制御を行う。
【００１９】
まず、ナースコール子機１の各構成要素について説明する。子機制御部２は、ナースコール子機１の各構成要素を後述するように制御するためのものであり、ＣＰＵ（Central Processing Unit）などにより構成されている。呼出操作部３は、患者が医療従事者を呼び出す際に操作するためのものであり、呼出ボタンなどにより構成されている。
【００２０】
子機インターフェース４は、ナースコール子機１とナースコール親機１０とを接続して通信を行うためのものである。患者は、医療従事者を呼び出したい場合に、呼出操作部３を操作する。すると、子機制御部２は、呼出信号を生成する。ここで、呼出信号には、このナースコール子機１を他のナースコール子機１と識別するための子機識別情報が含まれる。また、子機識別情報としては、ベッド番号などの情報を用いる。子機制御部２は、生成した呼出信号を子機インターフェース４によってナースコール親機１０へ出力する。
【００２１】
次に、ナースコール親機１０の各構成要素について説明する。制御部１１は、ナースコール親機１０の各構成要素を後述するように制御するためのものであり、ＣＰＵなどにより構成されている。インターフェース１２は、ナースコール親機１０とナースコール子機１とを接続して通信を行うためのものである。ここで、インターフェース１２は、ナースコール子機１から出力された呼出信号を入力する。
【００２２】
記憶部１３は、ナースコール子機１の子機識別情報（ベッド番号）と、この子機識別情報によって特定されるナースコール子機１を使用する患者を特定するための患者情報（例えば、患者氏名）と、その患者が居る病室内のベッド配置およびその患者のベッド位置をイメージとして示す病室情報とを関連付けて予め記憶している。また、記憶部１３は、後述するディスプレイ１４に表示されるレイアウト画像の画像情報を記憶している。
【００２３】
ここで、レイアウト画像は、図２（ａ）に示すように、ナースコール親機１０により管理される病棟のレイアウトを示しており、各病室（病室番号１０１〜１１３）やその他の施設（浴室、ナースステーション、トイレ、階段、エレベータ、非常口など）の配置を示している。しかしながら、レイアウト画像の各病室の欄にはベッド番号やベッドの配置を示す図形などは表示されない。
【００２４】
ディスプレイ１４は、表示装置により構成されており、図２に示すように、上述したレイアウト画像を表示するとともに、ナースコール子機１によって呼び出しが行われた場合に、ポップアップ画像を表示する。スピーカー１５は、患者からの呼び出しを示す報知音を出力するためのものであり、ナースコール子機１によって呼び出しが行われた場合に、上述したポップアップ画像の表示と同期して音声を出力する。ここで、ポップアップ画像は、子機識別情報（ベッド番号）を示すテキストと、呼び出しを行った患者の患者情報（例えば、患者氏名）を示すテキストと、その患者が居る病室内のベッド配置を示すイメージと、その患者が居るベッドの表示形態を他のベッドの表示形態と異ならせたイメージとを含む。
【００２５】
なお、本実施形態では、ディスプレイ１４にレイアウト画像の全てが表示されているが、これに限定されない。例えば、ディスプレイ１４にレイアウト画像の一部を表示させ、画面のスクロール操作などにより表示されていなかった部分を表示させるようにしても良い。
【００２６】
応答操作部１６は、ボタンなどにより構成されており、ディスプレイ１４に患者からの呼び出しを示すポップアップ画像が表示され、スピーカー１５が患者からの呼び出しを示す報知音を出力している状態で操作可能となり、医療従事者が患者からの呼び出しに対して応答する際に使用される。ここで、応答操作部１６は、ハンドセットなどにより構成されており、医療従事者はハンドセットをオフフックすることで応答することが可能となる。
【００２７】
応答操作部１６が操作されることにより、制御部１１は、ディスプレイ１４に表示されているポップアップ表示を消去し、スピーカー１５から出力されている報知音を停止させる。すると、ナースコール親機１０とナースコール子機１との間で通話路が形成される。なお、複数のナースコール子機１からの呼び出しが重複した場合には、複数のポップアップ画像がディスプレイに表示される。
【００２８】
このように構成されたナースコールシステムにおいて、例えば、病室番号「１０６」、ベッド番号「１０６−３」の患者（患者情報「田中太郎」）がナースコール子機１の呼出操作部３を操作すると、子機制御部２が呼出信号を生成し、子機インターフェース４が呼出信号をナースコール親機１０へ出力する。一方、ナースコール親機１０では、インターフェース１２が呼出信号を入力し、制御部１１は、記憶部１３を参照して、呼出信号に含まれる子機識別情報に関連付けて記憶されている患者情報および病室情報を取得する。
【００２９】
そして、制御部１１は、呼出信号から抽出した子機識別情報（ベッド番号）と、取得した患者情報と、取得した病室情報とを用いてポップアップ画像を生成し、ディスプレイ１４に表示させる（図２（ｂ）を参照）。このとき、制御部１１は、レイアウト画像中の該当する病室の欄（１０６）の表示形態を他の病室の欄や施設の欄の表示形態と異ならせることで、どこで呼び出しが行われたかをわかりやすくディスプレイ１４に表示することができる。また、制御部１１はスピーカー１５を動作させ、スピーカー１５は報知音を出力する。
【００３０】
この状態で、応答操作部１６が操作されると、制御部１１は、ポップアップ画像を消去し（図２（ａ）を参照）、スピーカー１５の動作を停止させる。また、制御部１１は、呼び出しを行ったナースコール子機１との間で通話路を形成する。医療従事者は、通話を行った後に、表示されていたレイアウト画像に基づいて、呼び出しを行った患者の居る病室へ赴く。
【００３１】
以上詳しく説明したように、本実施形態によれば、ナースコール親機１０のディスプレイ１４に表示されるレイアウト画像には病室の配置のみを表示しておき、ナースコール子機１による呼び出しが行われた場合に、制御部１１は、呼び出しを行った患者を特定するための患者情報とともに、呼び出しを行った患者が居る病室内のベッド配置およびその患者のベッド位置を示す病室情報をポップアップ画像としてディスプレイ１４に表示するようにしている。
【００３２】
これにより、ナースコール親機１０のディスプレイ１４上のレイアウト画像に病室の配置のみが表示されるので、同時に表示される病室の数をできるだけ多くすることができる。また、ナースコール子機１により呼び出しが行われた場合には、呼び出しを行った患者を特定するための患者情報とともに、呼び出しを行った患者が居る病室内のベッド配置およびその患者のベッド位置を示す病室情報がポップアップ画像として表示されるので、患者情報や患者のベッド位置を必要なときに適切に表示することができる。
【００３３】
なお、前述した実施形態では、各病室のベッド配置や各病室に居る患者の患者情報は、その病室の患者がナースコール子機１を使用して呼び出しを行わない限りディスプレイ１４に表示されないが、これに限定されない。例えば、病室を指定することで、その病室のベッド配置や患者情報を表示するようにしても良い。
【００３４】
具体的には、図３に示すように、ナースコール親機１０に選択操作部１７を設ける。ここで、選択操作部１７は複数のキーにより構成されていても良いし、ディスプレイ１４に取り付けられるタッチパネルにより構成されていても良い。選択操作部１７により何れかの病室が選択されると、制御部１１は、記憶部１３を参照し、選択された病室の病室情報およびその病室情報に関連付けて記憶されている患者情報を抽出する。そして、それらの情報によりポップアップ画像を生成してディスプレイ１４に表示させる。
【００３５】
図４（ａ）に示すレイアウト画像が表示されている状態で、病室番号「１０６」が選択操作部１７により選択されると、制御部１１′は、記憶部１３を参照し、病室番号「１０６」の病室情報を抽出するとともに、この病室情報に関連付けて記憶されている患者情報（ここでは、ベッド番号「１０６−１」の患者「鈴木次郎」、ベッド番号「１０６−２」の患者「高橋三郎」、ベッド番号「１０６−３」の患者「田中太郎」、ベッド番号「１０６−４」の患者「佐藤一朗」）を抽出し、ポップアップ画像を生成して、ディスプレイ１４に表示させる（図４（ｂ）を参照）。これにより、医療従事者は、いつでも各病室のベッド配置および患者情報を確認可能となる。
【００３６】
また、前述した実施形態では、ポップアップ画像に表示される患者情報は患者氏名のみであるが、これに限定されない。例えば、患者の診療科、患者の年齢、性別、患者を担当する医療従事者の氏名など様々な患者情報をポップアップ画像に表示させるようにしても良い。
【００３７】
また、前述した実施形態では、ナースコール子機１は、呼出ボタンにより構成される呼出操作部３を備えているが、これに限定されない。例えば、患者の所定の状態を検出するセンサーをナースコール子機１に設け、センサーが患者の所定の状態を検出した場合に、子機制御部２が呼出信号や緊急呼出信号を生成するようにしても良い。
【００３８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３９】
１    ナースコール子機
２    子機制御部
３    呼出操作部
４    子機インターフェース
１０    ナースコール親機
１１、１１′    制御部
１２    インターフェース
１３    記憶部
１４    ディスプレイ
１５    スピーカー
１６    応答操作部
１７    選択操作部
【図１】
2014180392.tif 000003
【図２】
2014180392.tif 000004
【図３】
2014180392.tif 000005
【図４】
2014180392.tif 000006